(57)【要約】【課題】  代行印刷において、印刷処理を速く終了させることができるようにする。【解決手段】  ネットワーク１に画像形成装置Ａ〜ＣとサーバＤが接続される。画像形成装置Ａ〜Ｃは、印刷部１１と、印刷部１１で印刷ジョブを実行できないとき代行指示を出力する印刷管理部１３と、ネットワーク１から受信した印刷ジョブを印刷部１１側に出力するとともに代行指示を送信する通信部１５とを有する。サーバＤは、ネットワーク１を介し画像形成装置Ａ、Ｂ、Ｃを指定して印刷ジョブを送信するとともに代行指示を受信する通信部１９と、画像形成装置Ａ〜Ｃを管理する装置管理部２１と、画像形成装置Ａ〜Ｃを指定して通信部１９から印刷ジョブを送信制御し、代行指示を受信したとき管理データを参照し、最も百印刷処理が完了する画像形成装置Ａ〜Ｃを代行指定する装置指定部２３とを有する。【選択図】  図１
2008242700.tif 000002
【特許請求の範囲】
【請求項１】
ネットワークを介して接続された複数の画像形成装置を指定して印刷ジョブを送信するとともに前記画像形成装置の印刷処理能力を含む管理情報および印刷の代行指示を受信する通信部と、
受信した前記管理情報に基づき前記画像形成装置の状態を管理する装置管理部と、
前記画像形成装置を指定して前記通信部から前記印刷ジョブを送信制御し、指定した前記画像形成装置から前記代行指示を受信したとき、前記装置管理部の前記管理データを参照し、早く印刷処理が完了する前記画像形成装置を代行指定して前記印刷ジョブを前記通信部から出力する装置指定部と、
を具備することを特徴とする印刷管理装置。
【請求項２】
前記装置指定部は、前記印刷ジョブの印刷完了時期の指定が可能であり、当該指定印刷完了時期に早く印刷完了する前記画像形成装置を代行指定する請求項１記載の印刷管理装置。
【請求項３】
前記装置指定部は、前記指定印刷完了時期の属する時間帯において早く印刷完了する前記画像形成装置を代行指定する請求項３記載の印刷管理装置。
【請求項４】
１個以上の画像形成装置およびこれを管理する印刷管理装置がネットワークを介して接続された印刷管理システムであり、
前記画像形成装置は、
印刷ジョブを印刷する印刷部と、
この印刷部の印刷処理能力を含む管理情報および当該印刷部における前記印刷ジョブが実行できないときの代行指示を出力する印刷管理部と、
前記ネットワークを介し前記印刷ジョブを受信して前記印刷部側に出力するとともに前記管理情報および代行指示を前記印刷管理装置に送信する通信部と、
を具備し、
前記印刷管理装置は、
前記ネットワークを介し前記画像形成装置を指定して前記印刷ジョブを送信するとともに前記管理情報および代行指示を受信する通信部と、
受信した前記管理情報に基づき前記ネットワークに接続される前記画像形成装置を管理する装置管理部と、
前記画像形成装置を指定して前記通信部から前記印刷ジョブを送信制御し、指定した前記画像形成装置から前記代行指示を受信したとき、前記装置管理部の前記管理データを参照し、早く印刷処理が完了する前記画像形成装置を代行指定して前記印刷ジョブを前記通信部から出力する装置指定部と、
を具備することを特徴とする印刷管理システム。
【請求項５】
前記装置指定部は、前記印刷ジョブの印刷完了時期を指定する可能であり、当該印刷完了時期に早く印刷完了する前記画像形成装置を代行指定する請求項４記載の印刷管理システム。
【請求項６】
前記装置指定部は、前記指定印刷完了時期の属する時間帯において早く印刷完了する前記画像形成装置を代行指定する請求項５記載の印刷管理システム。
【請求項７】
ネットワークを介して接続された１個以上の画像形成装置およびこれを管理する印刷管理装置を制御する制御用コンピュータに、
指定された前記画像形成装置に対して前記ネットワークを介して前記印刷ジョブを送信する送信処理と、
前記ネットワークを介し前記印刷ジョブを受信して前記画像形成装置の印刷部側に出力する受信処理と、
受信した前記印刷ジョブが前記印刷部で印刷実行できないとき代行指示を前記ネットワークを介して前記印刷管理装置に返信する返信処理と、
前記代行指示が返信されたとき、前記ネットワークに接続される前記画像形成装置の印刷処理能力を含む状態を管理する管理データを参照し、早く印刷処理が完了する前記画像形成装置を代行指定して前記印刷ジョブを前記ネットワークを介して出力する装置指定処理と、
を実行させる特徴とする印刷管理プログラム。
【請求項８】
前記装置管理処理は、前記画像形成装置から受信した管理情報に基づき前記ネットワークに接続される前記画像形成装置に係る前記管理データの管理を実行する請求項７記載の印刷管理プログラム。
【請求項９】
前記装置指定処理は、前記印刷ジョブの印刷完了時期の指定を含み、当該印刷完了時期に早く印刷完了する前記画像形成装置の代行指定を実行する請求項６又は７記載の印刷管理プログラム。
【請求項１０】
前記装置指定処理は、前記指定印刷完了時期の属する時間帯において早く印刷完了する前記画像形成装置を代行指定を実行する請求項９記載の印刷管理プログラム。
【発明の詳細な説明】
【技術分野】
【０００１】
本発明は印刷管理装置、印刷管理システムおよび印刷管理プログラムに係り、ネットワークに接続された例えば複写機や複合機（ＭＦＰ：Multi Function Peripheral）等の画像形成装置を用いた印刷管理装置、印刷管理システムおよび印刷管理プログラム、更に詳しくは、代行印刷可能な印刷管理装置、印刷管理システムおよび印刷管理プログラムの改良に関する。
【背景技術】
【０００２】
近年、複写機や複合機等の画像形成装置では、印刷用紙の不足や印刷中の不具合（ジャム）等のエラーにより印刷ができない場合、他の画像形成装置に代行印刷させることが可能な機能を搭載するものが提供されるようになってきた。
【０００３】
例えば、特開２００２−１３５５０８号公報（特許文献１）はこの種のものである。
【０００４】
この特許文献１は、ＭＦＰのコントローラが、ネットワーク上の個々の画像処理装置を識別する識別情報、個々の画像処理装置のスキャン速度、印刷速度等の性能情報、個々の画像処理装置の待ちジョブ数等の稼働状況を管理し、自装置の故障や能力不足により処理できない作業の有無を判定し、自装置で処理できない作業が有る場合に、作業の代行先装置を検索し、該検索した代行先装置に対し処理を代行させる制御を行う構成を有し、自装置にて処理できない作業を他の装置に割り振ることで、自装置で処理が滞るのを回避して作業効率の良い画像処理を可能としたものである。
【特許文献１】特開２００２−１３５５０８号公報
【発明の開示】
【発明が解決しようとする課題】
【０００５】
しかしながら、上述した特許文献１では、個々の画像処理装置において印刷可否の判別を行っているから、印刷結果の早期取得が遅れ易く、改善が望まれている。
【０００６】
また、印刷ジョブデータの転送ロスが発生するとともに、ネットワークの負担が大きくなる難点もある。
【０００７】
本発明はそのような課題を解決するためになされたもので、代行印刷した印刷結果を早期に取得可能な印刷管理装置、印刷管理システムおよび印刷管理プログラムの提供を目的とする。
【課題を解決するための手段】
【０００８】
そのような課題を解決するために印刷管理装置は、ネットワークを介して接続された複数の画像形成装置を指定して印刷ジョブを送信するとともに画像形成装置の印刷処理能力を含む管理情報および印刷の代行指示を受信する通信部と、受信した管理情報に基づき画像形成装置の状態を管理する装置管理部と、それら画像形成装置を指定して通信部から印刷ジョブを送信制御し、指定した画像形成装置からその代行指示を受信したとき、その装置管理部の管理データを参照し、早く印刷処理が完了する画像形成装置を代行指定して印刷ジョブを通信部から出力する装置指定部とを具備している。
【０００９】
本発明の印刷管理装置では、印刷ジョブの印刷完了時期の指定が可能であり、上記装置指定部が当該指定印刷完了時期に早く印刷完了する画像形成装置を代行指定する構成も可能である。
【００１０】
本発明の印刷管理装置では、上記装置指定部が指定印刷完了時期の属する時間帯において早く印刷完了する画像形成装置を代行指定する構成も可能である。
【００１１】
そして、本発明に係る印刷管理システムは、１個以上の画像形成装置およびこれを管理する印刷管理装置がネットワークを介して接続された印刷管理システムであり、その画像形成装置は、印刷ジョブを印刷する印刷部と、この印刷部の印刷処理能力を含む管理情報および当該印刷部における印刷ジョブが実行できないときの代行指示を出力する印刷管理部と、そのネットワークを介し印刷ジョブを受信して印刷部側に出力するとともに管理情報および代行指示を印刷管理装置に送信する通信部とを具備し、上記印刷管理装置は、そのネットワークを介し画像形成装置を指定して印刷ジョブを送信するとともに管理情報および代行指示を受信する通信部と、受信した管理情報に基づきネットワークに接続される画像形成装置を管理する装置管理部と、その画像形成装置を指定して通信部から印刷ジョブを送信制御し、指定した画像形成装置から代行指示を受信したとき装置管理部の管理データを参照し、早く印刷処理が完了する画像形成装置を代行指定して印刷ジョブを通信部から出力する装置指定部とを具備している。
【００１２】
本発明の印刷管理システムでは、印刷ジョブの印刷完了時期の指定が可能であり、上記装置指定部が当該指定印刷完了時期に早く印刷完了する画像形成装置を代行指定する構成も可能である。
【００１３】
本発明の印刷管理システムでは、上記装置指定部が指定印刷完了時期の属する時間帯において早く印刷完了する画像形成装置を代行指定する構成も可能である。
【００１４】
また、本発明に係る印刷管理プログラムは、ネットワークを介して接続された１個以上の画像形成装置およびこれを管理する印刷管理装置を制御する制御用コンピュータに、指定された画像形成装置に対してネットワークを介して印刷ジョブを送信する送信処理と、そのネットワークを介し印刷ジョブを受信して画像形成装置の印刷部側に出力する受信処理と、受信した印刷ジョブが印刷部で印刷実行できないとき代行指示をネットワークを介して印刷管理装置に返信する返信処理と、その代行指示が返信されたとき、そのネットワークに接続される画像形成装置の印刷処理能力を管理する管理データを参照し、早く印刷処理が完了する画像形成装置を代行指定して印刷ジョブをネットワークを介して出力する装置指定処理とを実行させるものである。
【００１５】
本発明の印刷管理プログラムでは、上記装置管理処理が、画像形成装置から受信した管理情報に基づきネットワークに接続される画像形成装置に係る管理データの管理を実行する構成も可能である。
【００１６】
本発明の印刷管理プログラムでは、印刷ジョブの印刷完了時期の指定、当該指定印刷完了時期に早く印刷完了する画像形成装置の代行指定を上記装置指定部が実行する構成も可能である。
【００１７】
本発明の印刷管理プログラムでは、上記装置指定部が、指定印刷完了時期の属する時間帯において早く印刷完了する画像形成装置の代行指定を実行する構成も可能である。
【発明の効果】
【００１８】
このような本発明に係る印刷管理装置では、ネットワークを介して指定した画像形成装置から代行指示を受信したとき、装置管理部の管理データを参照し、印刷処理の完了が早い画像形成装置を装置指定部にて代行指定して印刷ジョブを出力するから、代行印刷した印刷結果を早期に取得可能で、ユーザによる代行印刷設定を簡素化することが可能である。
【００１９】
また、本発明に係る印刷管理システムでは、画像形成装置が、ネットワークを介して受信した印刷ジョブを印刷部で印刷実行できないとき印刷管理部が代行指示を印刷管理装置側に出力し、上記印刷管理装置が、指定した画像形成装置への印刷ジョブに関する代行指示を受信したとき、装置指定部にて装置管理部の管理データを参照し、印刷処理が早く完了する画像形成装置を代行指定して印刷ジョブを通信部から出力するから、同様に、代行印刷した印刷結果を早期に取得可能で、ユーザによる代行印刷設定を極めて簡素化することが可能である。
【００２０】
本発明において、印刷ジョブの印刷完了時期の指定、当該指定印刷完了時期に早く印刷完了する画像形成装置の代行指定を行う構成では、指定した印刷完了時期に早く印刷結果を得ることが可能となる。
【００２１】
本発明において、指定印刷完了時期の属する時間帯において早く印刷完了する画像形成装置の代行指定する構成では、指定した印刷完了時間帯で早く印刷結果を得ることが可能となる。
【発明を実施するための最良の形態】
【００２２】
以下、本発明の実施の形態を図面を参照して説明する。
【００２３】
図１は本発明に係る印刷管理装置を含む印刷管理システムの実施の形態を示す概略ブロック図である。なお、本発明に係る印刷管理プログラムは、便宜上、印刷管理システムを説明する過程で説明する。
【００２４】
図１において、本発明に係る印刷管理システムは、複数の画像形成装置Ａ、Ｂ、Ｃおよび本発明の印刷管理装置であるサーバＤがネットワーク１を介して接続されている。ネットワーク１は社内ＬＡＮやインターネット等の公知のものである。
【００２５】
それら画像形成装置Ａ、Ｂ、Ｃはほぼ同様の構成を有するので、画像形成装置Ａのみ説明して画像形成装置Ｂ、Ｃの詳細な説明および図示は省略する。
【００２６】
便宜上、画像形成装置Ａから説明する。
【００２７】
画像形成装置Ａは、バス３を介して接続された画像読取部５、記憶部７、操作パネル部９、印刷部１１、印刷管理部１３、通信部１５およびこれらを制御する主制御部１７を有する、例えば複合機（ＭＦＰ）である。
【００２８】
画像読取部５は、例えば印刷された複数頁の原稿から画像を光学的に読み込み、フィルタ処理等をして電子的画像データを印刷ジョブとして生成する公知のスキャナ等であり、生成した画像データをページ毎に記憶部７に記憶するものである。
【００２９】
記憶部７は、生成した画像データ、印刷部１１に関する後述する管理情報の他、主制御部１７の動作プログラムを格納記憶するハードディスク（ＨＤＤ）等である。
【００３０】
操作パネル部９は、主制御部１７の制御の下、装置の動作状態や操作パネル部９による操作入力結果が表示される公知の例えば液晶表示パネルであるとともに、印刷（コピー）処理、プリント処理、スキャナ処理、ファクシミリ送受信処理等の種々の操作指示や選択、それらの処理設定をするタッチ式キーボードであり、装置の本体（図示省略）の上部外周に配置されている。
【００３１】
印刷部１１は、画像読取部５で生成した印刷ジョブや通信部１５で受信されたサーバＤからの印刷ジョブから、印刷画像イメージデータに展開してトナー現像処理し、印刷用紙にトナー現像を転写してトナー定着させる公知のカラー又はモノクロ印刷エンジンである。
【００３２】
印刷管理部１５は、印刷部１１に関する印刷処理能力および装置に関する情報を管理するとともに、当該管理情報および当該印刷部１１における印刷ジョブが実行できないときの代行指示を、サーバＤからの要求に基づき出力する機能を有している。
【００３３】
管理情報としては、例えば図２に示すように、印刷部１１における未印刷ジョブの待件数、最後の未印刷ジョブの印刷終了予定時刻、午前、午後、深夜といった時間帯の稼働状況、印刷速度といった印刷機能情報の他、印刷用紙の種類情報等その他があり、サーバＤからの要求に基づき、通信部１５からサーバＤに出力される。なお、図２は後述するサーバＤにおける管理データである。
【００３４】
代行指示は、例えばサーバＤから受信した印刷ジョブに対し、印刷管理部１３が管理情報を参照して印刷部１１で当該印刷ジョブを直ちに実行できないとき、その旨を指示する印刷指示であり、主制御部１７の管理下で、通信部１５に出力される。
【００３５】
通信部１５は、所定のプロトコルに従い、ネットワーク１を介してサーバＤから印刷ジョブを受信するとともに、上述した管理情報および代行指示を送信するインターフェース部である。
【００３６】
なお、ファクシミリ送受信もこの通信部１５を介してなされるが、本発明の要部ではないので説明を省略する。
【００３７】
主制御部１７は、ＣＰＵやこのＣＰＵの動作プログラムを格納したＲＯＭを有して形成されており、上述した画像読取部５、記憶部７、操作パネル部９、印刷部１１、印刷管理部１３および通信部１５等を制御するとともに、印刷管理部１３の一部の機能を実現している。
【００３８】
画像形成装置Ｂ、Ｃも、画像形成装置Ａとほぼ同様の構成を有しているが、上述したように説明を省略する。
【００３９】
続いて、本発明の印刷管理装置であるサーバＤを説明する。
【００４０】
サーバＤは、図１に示すように、通信部１９、装置管理部２１、装置指定部２３、記憶部２５およびこれらを制御する主制御部２７を有し、サーバとしての一般的な構成を有している。
【００４１】
通信部１９は、主制御部２７の制御の下、ネットワーク１を介して画像形成装置Ａ、Ｂ、Ｃから上述した管理情報を受信して装置管理部２１に出力するとともに、装置指定部２３からの管理情報の入手要求や印刷ジョブをネットワーク１を介して画像形成装置Ａ、Ｂ、Ｃ側に出力するインターフェース部である。
【００４２】
装置管理部２１は、主制御部２７の制御の下、通信部１９で受信した画像形成装置Ａ、Ｂ、Ｃからの管理情報に基づきネットワーク１に接続された画像形成装置Ａ、Ｂ、Ｃの状態をテーブル状の管理テーブルにしてデータ管理するものであり、その管理データを記憶部２５に記憶制御する機能を有している。
【００４３】
管理テーブルは、上述した図２に示すように、印刷部１１における未印刷ジョブの待件数、最後の未印刷ジョブの印刷終了予定時刻、午前、午後、深夜といった時間帯の稼働状況、印刷速度といった印刷機能情報等を画像形成装置Ａ、Ｂ、Ｃに対応付けてテーブル状にしたものであり、所定のタイミング毎に更新変更される。
【００４４】
装置指定部２３は、主制御部２７の制御の下、ネットワーク１に接続された画像形成装置Ａ、Ｂ、Ｃに対して管理情報の入手要求を通信部１９から出力制御するとともに、画像形成装置Ａ、Ｂ、Ｃを指定して印刷ジョブを通信部１９から出力制御する機能を有している。
【００４５】
なお、画像形成装置Ａ、Ｂ、Ｃを指定して出力する印刷ジョブは、例えば画像形成装置Ｂ、Ｃや図示しないコンピュータから画像形成装置Ａを指定して入力され印刷指示されたものであり、何時までに印刷を完了させたいかの印刷完了指定情報を含む場合もある。
【００４６】
装置指定部２３は、指定した画像形成装置Ａから代行指示を通信部１９が受信したとき、装置管理部２１から管理データを参照し、印刷ジョブが最も早く印刷完了する画像形成装置Ｂを最適な装置として代行指定して印刷ジョブを通信部１９から出力する機能を有している。
【００４７】
印刷ジョブに最適な画像形成装置の代行指定条件としては、例えば、単純に最も早く印刷完了する画像形成装置Ａ、Ｂ、Ｃの指定、指定印刷完了時期に最も早く印刷完了する画像形成装置のＡ、Ｂ、Ｃの指定、指定印刷完了時期の属する時間帯において最も早く印刷完了する画像形成装置Ａ、Ｂ、Ｃの指定、これらの組合せ指摘が可能であり、予め、装置指定部２３に設定されていたり印刷ジョブに添付して指定される。
【００４８】
主制御部２７は、ＣＰＵやこのＣＰＵの動作プログラムを格納したＲＯＭを有して形成されており、上述した通信部１９、装置指定部２３、装置管理部２１および記憶部２５等を制御する機能を有している。
【００４９】
次に、上述した本発明に係る印刷管理システムの動作を簡単に説明する。
【００５０】
なお、予め、サーバＤの装置管理部２１が管理データを作成して記憶部２５に記憶された状態を前提として説明する。
【００５１】
サーバＤにおいて、装置指定部２３が例えば画像形成装置Ａを指定して印刷ジョブを通信部１９からネットワーク１を介して送信処理すると、画像形成装置Ａの通信部１５がそれを受信処理して印刷部１１および印刷管理部１３へ出力する。
【００５２】
印刷管理部１３では、印刷部１１の印刷状態から当該印刷ジョブの印刷が直ちに印刷実行できないとき、代行指示を通信部１５からネットワーク１を介してサーバＤに返信処理する。
【００５３】
サーバＤにおいて、通信部１９は代行指示を受信して装置指定部２３に送り、装置指定部２３では、代行指示を受けたとき、装置管理部２１から管理データを参照し、例えば最も早く印刷処理が完了する画像形成装置として画像形成装置Bを判別し、その画像形成装置Ｂを代行指定して印刷ジョブを通信部１９からネットワーク１を介して画像形成装置Ｂに出力処理する。
【００５４】
最適な画像形成装置の判別は、上述したように指定印刷完了時期に最も早く印刷完了する画像形成装置Ｂ、Ｃの指定、指定印刷完了時期の属する時間帯において最も早く印刷完了する画像形成装置Ｂ、Ｃの指定、これらの組合せを選択しても良い。
【００５５】
もし、その画像形成装置Ｂから代行指示を受けたとき、サーバＤが更に次に最適な画像形成装置Ｄを指定して印刷ジョブを出力処理することになる。
【００５６】
そして、これらの処理手順が本発明に係る印刷管理プログラムとなる訳である。
【００５７】
このように本発明の印刷管理システムでは、１個以上の画像形成装置Ａ、Ｂ、Ｃおよびこれを管理するサーバＤがネットワーク１を介して接続され、その画像形成装置Ａ、Ｂ、Ｃは、印刷ジョブを印刷する印刷部１１と、この印刷部１１の管理情報および当該印刷部１１における印刷ジョブが実行できないときの代行指示を出力する印刷管理部１３と、そのネットワーク１を介し印刷ジョブを受信して印刷部１１側に出力するとともに管理情報および代行指示をサーバＤに送信する通信部１５とを具備し、上記サーバＤは、そのネットワーク１を介し画像形成装置Ａ、Ｂ、Ｃを指定して印刷ジョブを送信するとともに管理情報および代行指示を受信する通信部１９と、受信した管理情報に基づきネットワーク１に接続される画像形成装置Ａ、Ｂ、Ｃをデータ管理する装置管理部２１と、その画像形成装置Ａ、Ｂ、Ｃを指定して通信部１９から印刷ジョブを送信制御し、指定した画像形成装置Ａ、Ｂ、Ｃから代行指示を受信したとき装置管理部２１の管理データを参照し、最も早く印刷処理が完了する他の画像形成装置Ｂ、Ｃを代行指定して印刷ジョブを通信部１９から出力する装置指定部２３とを具備している。
【００５８】
そのため、ユーザは個々の印刷ジョブや画像形成装置Ａ、Ｂ、Ｃにおいて、個別に代行印刷先等の設定をしなくとも代行印刷が可能となり、代行印刷した印刷結果を早期に取得可能であるうえ、ユーザによる代行印刷設定を極めて簡素化することが可能である。
【００５９】
しかも、印刷処理が早く完了する他の画像形成装置Ｂ、Ｃを代行指定するから、サーバCと画像形成装置Ｂ、Ｃとの間の伝送データ量が多くならず、印刷ジョブの転送ロスが発生し難く、ネットワークの負担も軽減される利点もある。
【００６０】
また、印刷ジョブの印刷完了時期を指定すれば、当該指定印刷完了時期に最も早く印刷完了する画像形成装置が代行指定され、指定した印刷完了時期に早く印刷結果を得ることが可能となる。
【００６１】
さらに、指定印刷完了時期の属する時間帯を指定すれば、指定した印刷完了時間帯において早く印刷結果を得ることが可能となる。
【００６２】
そして、本発明において、印刷ジョブに最適な画像形成装置を代行指定する判別条件としては、印刷部１１における未印刷ジョブの待件数、最後の未印刷ジョブの印刷終了予定時刻、午前、午後、深夜といった時間帯の稼働状況、印刷速度といった印刷機能情報のほか、種々の稼働率情報を条件とすることが可能である。
【００６３】
なお、上述したサーバＤは、ネットワーク1上で独立した装置である必要はなく、例えば、ネットワーク1に接続された複合機、プリンタ等に内蔵された同種の機能部分で構成可能である。
【００６４】
そして、上述したサーバＤは、通信部１９、装置管理部２１、装置指定部２３、記憶部２５およびこれらを制御する主制御部２７を有し、独立して本発明の印刷管理装置を構成し、上述したように代行印刷した印刷結果を早期に取得可能でるうえ、ユーザによる代行印刷設定を簡素化することが可能である。
【００６５】
ところで、本発明に係る印刷管理プログラムにおいて、装置管理処理が、画像形成装置から受信した管理情報に基づきネットワークに接続される画像形成装置に係る管理データの管理を実行する構成、印刷ジョブの印刷完了時期の指定、当該指定印刷完了時期に早く印刷完了する画像形成装置の代行指定を上記装置指定部が実行する構成、更に、上記装置指定部が、指定印刷完了時期の属する時間帯において早く印刷完了する画像形成装置の代行指定を実行する構成においても、上述した印刷管理システムと同様の効果を得ることが可能である。
【図面の簡単な説明】
【００６６】
【図１】本発明に係る印刷管理装置を含む印刷管理システムの実施の形態を示す概略ブロック図である。
【図２】本発明における管理テーブルの例を示す図である。
【符号の説明】
【００６７】
１  ネットワーク
３  バス
５  画像読取部
７、２５  記憶部
９  操作パネル部
１１  印刷部
１３  印刷管理部
１５、１９  通信部
１７、２７  主制御部
２１  装置管理部
２３  装置指定部
Ａ、Ｂ、Ｃ  画像形成装置
Ｄ  サーバ（印刷管理装置）
【図１】
2008242700.tif 000003
【図２】
2008242700.tif 000004